(57)【要約】【課題】停電により影響を受けることのない、ＰＳＴＮとＶｏＩＰネットワーク間で自動的に切り換わる単一の電話を備えた電話装置を提供する。【解決手段】本発明は、公衆交換電気通信網（ＰＳＴＮ）及びボイスオーバーインターネットプロトコル（ＶｏＩＰ）ネットワークのための電話装置であって、自動的又は選択的にＰＳＴＮ及びＶｏＩＰネットワークによりダイヤル呼び出しするために使用され、インバウンドコールとアウトバンドコールの両方の電気通信網に適している。この電話装置は、アナログ電話モジュールをＶｏＩＰモジュールに接続するための制御回路を含み、前記ＶｏＩＰモジュールは前記ＰＳＴＮによりダイヤル呼び出しをするために使用され、信号検出モジュールは前記ＶｏＩＰネットワークと前記ＰＳＴＮ間の操作のタイミングを処理するために使用される。【選択図】図３
2007189485.tif 000002
【特許請求の範囲】
【請求項１】
公衆交換電気通信網（ＰＳＴＮ）及びボイスオーバーインターネットプロトコル（ＶｏＩＰ）ネットワークのための電話装置であって、
アナログ電話モジュールと、
ＶｏＩＰネットワークのアウトバウンドコール及びインバウンドコールをするＶｏＩＰモジュールと、
ＶｏＩＰネットワーク又はＰＳＴＮに属する前記インバウンドコール信号を決定し、オフフック信号、ダイヤルした番号、及びファンクションキーのトリガー信号を検出するための信号検出モジュールと、
前記アナログ電話モジュールを前記ＶｏＩＰモジュールに接続すると共に、前記ＶｏＩＰネットワークと前記ＰＳＴＮとの間で前記アナログ電話モジュールを切り換えるための制御回路と、
前記ＶｏＩＰネットワークの音声を符号化及び復号化するための音声符号化／復号化ユニットと、
前記音声符号化／復号化ユニットを前記アナログ電話モジュールに接続すると共に、停電信号が検出されるとすぐに前記電話周辺装置を前記アナログ電話モジュールに自動的に切り換える中継器と、
を備えていることを特徴とする電話装置。
【請求項２】
前記中継器に接続される音声出力／入力装置をさらに備えており、前記ＶｏＩＰ又は前記ＰＳＴＮの音声を出力及び入力する請求項１に記載のＰＳＴＮ及びＶｏＩＰネットワークのための電話装置。
【請求項３】
前記ＶｏＩＰモジュールに接続されるメモリーセルをさらに備えており、前記パラメータ設定値及び音声を呼び出す請求項１に記載のＰＳＴＮ及びＶｏＩＰネットワークのための電話装置。
【請求項４】
前記ＶｏＩＰモジュールに接続されるディスプレーのコントローラをさらに備えており、前記ディスプレーのメッセージ及び画像信号を受信する請求項１に記載のＰＳＴＮ及びＶｏＩＰネットワークのための電話装置。
【請求項５】
前記ディスプレーのコントローラに接続されるディスプレーユニットをさらに備えており、前記メッセージ及び前記画像信号を表示する請求項４に記載のＰＳＴＮ及びＶｏＩＰネットワークのための電話装置。
【請求項６】
前記ダイヤルした番号は所定の電話網のものである請求項１に記載のＰＳＴＮ及びＶｏＩＰネットワークのための電話装置。
【請求項７】
前記ファンクションキーのトリガー信号はユーザが選択すると共にダイヤル呼び出しをする前記電話網を提供する請求項１に記載のＰＳＴＮ及びＶｏＩＰネットワークのための電話装置。
【発明の詳細な説明】
【技術分野】
【０００１】
本発明は、電話システムに関し、特に、公衆交換電気通信網（ＰＳＴＮ）及びボイスオーバーインターネットプロトコルネットワークに適した電話装置に関する。
【背景技術】
【０００２】
ＶｏＩＰ（ボイスオーバーインターネットプロトコル）は開放ネットワークにより音声／画像を送るためのプロトコルであり、パケット信号により呼び出すサービスを提供する。インターネットを介して情報を送るのと同様に、ＶｏＩＰを介して電話をすることは多大な料金を節約することができる。しかしながら、ＶｏＩＰは、音質が悪く、信号が不安定で、回線が切れることがあるというように、インターネットに関連する多くの要因により制約される。
【０００３】
一般に、従来の電話は、日々の通信において使用されており、アナログ電話は公衆交換電気通信網（ＰＳＴＮ）に接続され、呼び出しサービスを提供する。従来の電話の料金は非常に高いが、ＶｏＩＰと違って、インターネットに関連する多くの要因によって制約を受けることはない。さらにその上、従来の電話は停電の影響を受けることがなく、電源が停止されている時でも使用することができる。
【０００４】
ＶｏＩＰは益々普及してきているが、ユーザの実際の要求を満たすためには、ＶｏＩＰの使用において、従来の電話をサポートすることも必要である。ＶｏＩＰ電話と従来の電話の両方の電話を購入することなく、１台の電話だけで、ＶｏＩＰと従来の電話をかけたり、受けたりすることを、ユーザは望んでいる。それは便利であると共に省スペースになる。
【０００５】
図１は、中継器を介してＶｏＩＰ装置と従来の電話との間で切り替えを従来の方法で行うブロック図であり、中継器１００はＦＸＳ（Foreign eXchange Station）ポート１１０とＦＸＯ（Foreign eXchange Office）ポート１２０との間で単純な切り換えを行うために使用される。一例として、家庭の従来の電話を取り上げると、それは電話回線により電話局の交換台に接続され、ＦＸＳポート１１０は電話に接続されるポートであり、ＦＸＯポート１２０はＰＳＴＮ１３０に接続されるポートである。通常の操作では、中継器１００は開放され（ＦＸＳポート１１０はＦＸＯポート１２０により切られる）、ＶｏＩＰ電話１５０はダイヤル呼び出しされ、ＶｏＩＰモジュール１４０によりＶｏＩＰネットワーク１６０に接続される。この設計の欠点は、ＶｏＩＰ電話１５０がバイパス回路を提供するだけであり、すなわち、停電があった時だけ、中継器１００が閉鎖され、ＦＸＳポート１１０をＦＸＯポート１２０に接続し、中継器１００を介して従来の電話がかけられることにある。そのため、中継器１００のハードウェアの切り換えのため、ＶｏＩｐネットワーク１６０及びＰＳＴＮ１３０による通信は同時に行うことができない。
【０００６】
図２は、ダイレクトアクセスアレンジメント（ＤＡＡ）装置によりＶｏＩＰ装置及び従来の電話を従来の方法で検出するブロック図である。ＤＡＡ装置１７０はＶｏＩＰモジュール１４０をＰＳＴＮ１３０に接続するために使用され、ＶｏＩＰネットワーク１６０及びＰＳＴＮ１３０の両方によるダイヤル呼び出しは従来の電話なしで同時に成し遂げることができる（出願人は公知公用の技術に基づき発明したため、関連する先行技術文献について知らない）。
【発明の開示】
【発明が解決しようとする課題】
【０００７】
しかしながら、停電があった時には、ＰＳＴＮ１３０だけにより提供される電力はＶｏＩＰ電話１５０のすべての要求を満たすことができない。そのため、停電時には、電話をかけるためには追加の電話が必要となる。停電時には、ダイヤル呼び出しは単一の電話により行うことができない。
したがって、停電により影響を受けることがなく、ＰＳＴＮとＶｏＩＰネットワーク間で自動的に切り換える単一の電話を備えた電話装置を設計することが関心事となっている
【課題を解決するための手段】
【０００８】
上記した問題点を考慮して、公衆交換電気通信網（ＰＳＴＮ）及びボイスオーバーインターネットプロトコル（ＶｏＩＰ）ネットワークのための電話装置が提供され、ネットワーク呼び出し（ＶｏＩＰネットワーク）又は従来の呼び出し（ＰＳＴＮ）はキー又は音声入力／出力によりトリガー及び選択される。本発明はアナログ電話モジュールをＶｏＩＰモジュールに接続するための制御回路を含んでおり、ＶｏＩＰモジュールはＰＳＴＮによりダイヤル呼び出しをするために使用され、信号検出モジュールはＶｏＩＰネットワークとＰＳＴＮ間の操作のタイミングを処理するために使用される。例えば、所定のファンクションが提供され、受話器を外した時に、そのシステムはＰＳＴＮに設定され、ユーザはＰＳＴＮのインバウンドコールを受ける。アナログ電話モジュールは常にＶｏＩＰモジュールを介してＶｏＩＰネットワークに接続されているので、アナログ電話モジュールはＶｏＩＰネットワークのインバウンドコールを未だ監視することができる。制御回路及び信号検出モジュールにより、ＰＳＴＮとＶｏＩＰネットワーク間の自動切換えのための電話システムは達成可能である。
【０００９】
本発明の詳細は特徴及び利点は、詳細な説明において詳細に説明し、それにより、当業者は本発明を理解すると共に実行することができるだろう。本発明のいかなる利点及び目的も、明細書、特許請求の範囲、及び図面から理解可能である。
【００１０】
本発明のさらなる適用範囲は以下に記載される詳細な説明から明らかであろう。しかしながら、本発明の精神及び範囲内の各種変更及び修正は、当業者にとって、この詳細な説明から自明であるから、詳細な説明及び特定の例示は、本発明の好適な実施例を示すと共に、例示だけのために記載されていることを理解すべきである。
【００１１】
ここに記載した詳細な説明は例示だけの目的であり、本発明を限定するものではないが、本発明はこの詳細な説明により十分に理解されるだろう。
【発明を実施するための最良の形態】
【００１２】
以下、添付した図面を参照しつつ、最も好適な実施例により、本発明の特徴及び実施を極めて詳細に説明する。
【００１３】
図３は、本発明による公衆交換電気通信網（ＰＳＴＮ）とＶｏＩＰネットワークのための電話装置の体系的なブロック図である。ＰＳＴＮとＶｏＩＰネットワークによりダイヤル呼び出しをするために提供される、ＰＳＴＮ及びＶｏＩＰネットワークに適した切り換え装置２０５（以下、切り換え装置２０５と略称する。）が、主に含まれており、インバウンドコールとアウトバウンドコールの両方の電気通信ネットワークに適用可能である。切り換え装置２０５は、アナログ電話モジュール２００、ＶｏＩＰモジュール１４０、信号検出モジュール２１０、制御回路２２０、ＶｏＩＰモジュール１４０、信号検出モジュール２１０、制御回路２２０、音声符号化／復号化ユニット２３０、及び中継器１００をさらに含んでいる。
【００１４】
ＶｏＩＰモジュール１４０は、主に、このシステムのＶｏＩＰネットワーク１６０を介してアウトバウンドコール及びインバウンドコールする。ＶｏＩＰモジュール１４０は従来技術であるから、ここではこれ以上説明しない。
【００１５】
信号検出装置２１０は、ＶｏＩＰネットワーク１６０又はＰＳＴＮ１３０に属するインバウンドコール信号を決定すると共に、オフフック信号、ダイヤルした番号、及びファンクションキーのトリガー信号を検出するために使用される。
【００１６】
制御回路２２０はアナログ電話モジュール２００をＶｏＩＰモジュール１４０に接続するために使用される。制御回路２２０は、主に、ＶｏＩＰネットワーク１６０とＰＳＴＮ１３０との間でアナログ電話モジュール２００を切り換えるために使用される。
【００１７】
音声符号化／復号化ユニット２３０は、ＶｏＩＰネットワーク１６０の音声を符号化／復号化するために使用される。通常の電源では、音声符号化／復号化ユニット２３０は、出力／入力装置２４０がＶｏＩＰネットワーク１６０の音声を出力及び入力できるように、中継器１００を介して音声出力／入力装置２４０に接続される。
【００１８】
中継器１００は、音声符号化／復号化ユニット２３０、音声出力／入力装置２４０、及びアナログ電話モジュール２００に接続する。システムにおいて停電があった時には、電話周辺装置（音声出力／入力装置２４０）は、中継器１００が停電信号を検出するとすぐに自動的にアナログ電話モジュール２００に切り換えられる。
【００１９】
勿論、ＶｏＩＰネットワーク１６０は、メモリーセル２５０、ディスプレーのコントローラ２６０、及びディスプレーユニット２７０のような、電話をするための他のモジュールと併用されるべきであり、メモリーセル２５０はパラメータ設定値及び音声を呼び出すために使用され、ディスプレーのコントローラ２６０はディスプレーのメッセージ及び画像信号を受信するために使用され、ディスプレーユニット２７０の表示状態を制御し、これらのモジュールはすべてＶｏＩＰモジュール１４０に接続される。
【００２０】
図４は、本発明の第１の実施例によるインバウンドコールの処理フローである。このシステムは所定のファンクションを提供し、すなわち、ＰＳＴＮ１３０のインバウンドコールを受けるように、アナログ電話モジュールをＰＳＴＮ１３０に設定する。
【００２１】
ユーザがＶｏＩＰネットワーク１６０を介してダイヤル呼び出ししている時には（ステップ４１０）、ＰＳＴＮ１３０のインバウンドコールがあると仮定すると、（本発明の回路はＰＳＴＮ１３０のインバウンドコールのポートに話中信号をフィードバックできないように設計されているため）システムはいかなる動作も行わないし、ユーザがＶｏＩＰネットワーク１６０を使用しない時には、システムはディスプレーユニット２７０にインバウンドコールの注釈を表示するか、或いは、音を出してユーザに知らせる（ステップ４３０）。
【００２２】
ユーザがＰＳＴＮ１３０を介してダイヤル呼び出しをしている時には（ステップ４２０）、ＶｏＩＰネットワーク１６０のインバウンドコールがあると仮定すると、システムはインバウンドコールを拒否し、ユーザがＰＳＴＮ１３０を使用しない時には、システムはディスプレーユニット２７０にインバウンドコールの注釈を表示するか、或いは、音を出してユーザに知らせる（ステップ４３０）。
【００２３】
インバウンドコール（ＶｏＩＰネットワーク１６０又はＰＳＴＮ１３０）があった場合に、ユーザが電話に答えている時にオフフックとなる（本発明の適用範囲を限定するものではないが、代わりに、応答キー又はスピーカーキー等のシステムの所定のキーを押している）とすぐに、信号検出モジュール２１０はＶｏＩＰネットワーク１６０又はＰＳＴＮ１３０に属するインバウンドコール信号を決定する（ステップ４４０）。すなわち、ＶｏＩＰネットワーク１６０のインバウンドコール信号が検出された場合には、アナログ電話モジュール２００はＶｏＩＰネットワーク１６０に切り換えられ（ステップ４５０）、ＰＳＴＮ１３０のインバウンドコール信号が検出された場合には、アナログ電話モジュール２００は所定のＰＳＴＮ１３０に維持される（ステップ４６０）。
【００２４】
図５は、本発明の第２の実施例によるアウトバウンドコールの処理フローである。ユーザに電話をさせるためオフフックになっている時には（ステップ５１０）、本発明の適用範囲を制限するものではないが、ファンクションキー（例えば、スピーカーキー）を押すことにより直接切り換え、又はオフフックとなり、アナログ電話モジュール２００は、信号検出モジュール２１０がトリガー信号を検出するとすぐに、制御回路２２０によりＶｏＩＰネットワーク１６０に切り換えられ（ステップ５３０）、料金を節約する。実際の設計では、それはバックのファンクションキーを押すことによりさらに切り換えられ（ステップ５４０）、したがって、ダイヤルされる所望の電気通信網はユーザに対して選択的に提供される。その後、アナログ電話モジュール２００は制御回路２２０によりＰＳＴＮ１３０に戻される。ユーザがＰＳＴＮ１３０を選択した時には、従来のＰＳＴＮ１３０はアナログ電話モジュール２００によりダイヤル呼び出しされ、ユーザがＰＳＴＮ１３０を選択しない時には、ＶｏＩＰネットワーク１６０はＶｏＩＰモジュール１４０によりダイヤル呼び出しされる。
【００２５】
ユーザが既にダイヤルした番号のためにダイヤルした番号又は押した所定のファンクションキーのグループを入力した後（ステップ５６０）、信号検出モジュール２１０は入力されたダイヤルした番号又は所定のファンクションキーに組み込まれたダイヤルした番号が所定のＰＳＴＮの特定の番号（例えば、１１９）であるかどうかを所定の間隔内で決定する（ステップ５７０）。所定のダイヤルした番号の重要性を考慮して、特別の状態（停電）のために電話をかけることができない状況が発生すべきでなく、したがって、重要なダイヤルした番号はＰＳＴＮの特別の番号として予め決定されなければならない。ダイヤルされた番号が所定のＰＳＴＮの特別の番号であることを検出した時には、ＶｏＩＰモジュール１４０はダイヤルした番号をリダイヤルし、アナログ電話モジュール２００をＰＳＴＮ１３０に切り換え（ステップ５８０）、ダイヤルした番号が所定のＰＳＴＮの特別な番号でないと信号検出モジュール２１０が検出した場合には、アナログ電話モジュール２００はＶｏＩＰネットワーク１６０を介してダイヤル手順を実行する（ステップ５９０）。
【００２６】
このシステムにおいて、中継器１００による停電信号の検出により停電が起こった時、電話周辺装置（音声出力／入力装置２４０、キー、フックスイッチ等）はＰＳＴＮ１３０と接続されているアナログ電話モジュール２００に自動的に切り換えられ、従来の電話はＰＳＴＮ１３０によって供給される電力によりかけられる。
【００２７】
上記した実施例では、特に、ＰＳＴＮ１３０が所定のダイヤル呼び出しのネットワークである場合について説明している。勿論、実際には、所定の電気通信ネットワークは実際の要求（例えば、ＶｏＩＰネットワーク１６０）により変更可能である。選択式ファンクション装置はファンクションキー又はファクトリーデフォルトの設定により実行されてもよいが、本発明の適用範囲を限定するものではない。
【００２８】
このように説明した本発明では、同一のことを多くの方法で変更可能であることが明らかである。そのような変更は本発明の精神及び範囲からの逸脱とみなされるべきではなく、すべてのそのような変更は、当業者であれば、特許請求の範囲内に含まれるものと解釈されるのは明らかであろう。
【図面の簡単な説明】
【００２９】
【図１】中継器によるＶｏＩＰ装置と従来の電話間での従来の切り換えを示すブロック図である。
【図２】ＤＡＡによるＶｏＩＰ装置と従来の電話間での従来の検出を示すブロック図である。
【図３】本発明によるＰＳＴＮとＶｏＩＰネットワークのための電話装置の体系的なブロック図である。
【図４】本発明の第１の実施例によるインバウンドコールの処理フローである。
【図５】本発明の第２の実施例によるアウトバウンドコールの処理フローである。
【図１】
2007189485.tif 000003
【図２】
2007189485.tif 000004
【図３】
2007189485.tif 000005
【図４】
2007189485.tif 000006
【図５】
2007189485.tif 000007